(57)【特許請求の範囲】
【請求項１】
被測定者の毎日の体重測定値に基づいた毎日の日内体重変化値を取得するための変化取得部と、
前記変化取得部により取得された前記日内体重変化値と日内目標減量値とを比較処理し、比較結果に基づき、所定期間内の全日数に対する前記日内体重変化値が前記日内目標減量値に達した日数の割合を指す目標達成率を取得するための達成率取得部と、
前記達成率取得部により取得された前記目標達成率と閾値との差の大きさに基づき、その後に体重測定する際の目標となるべき新たな日内目標減量値を取得するための目標取得部と、を備える、体重管理装置。
【請求項２】
前記目標取得部は、
前記差の大きさに達成率取得部により取得された前記目標達成率に基づき、前記日内目標減量値の増減量を取得し、
前記比較処理に用いた前記日内目標減量値と、取得された前記増減量とを用いて、その後に体重測定する際の目標となるべき前記新たな日内目標減量値を算出する、請求項１に記載の体重管理装置。
【請求項３】
被測定者の生活の規則性を表す情報を取得するための規則性取得部を、さらに備え、
前記目標取得部は、
前記規則性取得部により取得された前記規則性を表す情報に基づき、前記日内目標減量値の増減量を取得する、請求項２に記載の体重管理装置。
【請求項４】
被測定者の毎日の体重測定値と、前記体重測定値の測定日時とを含む体重データを取得するための体重取得部を、さらに備え、
前記規則性取得部は、前記体重取得部が取得した体重データの前記測定日時に基づき前記規則性を表す情報を取得する、請求項３に記載の体重管理装置。
【請求項５】
毎日の所定時間に測定される被測定者の生体インピーダンス値を取得するためのインピーダンス取得部を、さらに備え、
前記規則性取得部は、前記インピーダンス取得部が取得した前記生体インピーダンス値に基づき前記規則性を表す情報を取得する、請求項３または４に記載の体重管理装置。
【請求項６】
前記規則性取得部は、
前記変化取得部により取得された前記日内体重変化値の時間の経過に伴う変化を示す時系列情報から、前記規則性を表す情報を取得する、請求項３から５のいずれかに記載の体重管理装置。
【請求項７】
前記達成率取得部により取得された前記目標達成率を指すための情報を出力する、請求項１から６のいずれかに記載の体重管理装置。
【発明の詳細な説明】
【技術分野】
【０００１】
この発明は、体重管理装置に関し、特に、被測定者の体重を目標値を用いて管理するための体重管理装置に関する。
【背景技術】
【０００２】
従来より、肥満防止のために減量目的で体重管理する機能の提供が望まれていた。例えば、特許文献１（特開２０１０−１８１３７７号公報）および特許文献２（特開２００８−３０４４２１号公報）では、日内の体重変動から目標値を算出する装置が示される。また、特許文献３（特開２００７−２２６７７５号公報）では、目標体重からの実際体重の偏差を１日単位で計算する。また、特許文献４（特開２０１０−２３７８０５号公報）では、目標減量体重を（現在の体重−目標体重）の式に従って算出する。
【先行技術文献】
【特許文献】
【０００３】
【特許文献１】特開２０１０−１８１３７７号公報
【特許文献２】特開２００８−３０４４２１号公報
【特許文献３】特開２００７−２２６７７５号公報
【特許文献４】特開２０１０−２３７８０５号公報
【発明の概要】
【発明が解決しようとする課題】
【０００４】
上述の特許文献１−４では、被測定者の実際の減量ペースに基づく目標の取得とはなっていない。例えば１日単位の減量値を目標とすれば、目標を達成するか否かは、被測定者の生活リズムや気分などによって影響を受け易い。具体的には、生活リズムが規則的な期間では目標を達成し易いが、生活リズムが不規則な期間においては目標は達成し難くなる。しかしながら、特許文献１−４では被測定者の目標達成の程度を考慮することなく、日々の目標を決定することから、被測定者にとって、生活リズムが規則的であれば目標を達成し易いが、不規則であれば目標達成が困難となり、減量のモチベーションを維持することが難しくなってしまう。
【０００５】
それゆえに、この発明の目的は、日内目標減量値についての過去の目標達成率に基づき、その後に体重値を測定する際の新たな日内目標減量値を取得する体重管理装置を提供することである。
【課題を解決するための手段】
【０００６】
この発明のある局面に従う体重管理装置は、被測定者の毎日の体重測定値に基づいた毎日の日内体重変化値を取得するための変化取得部と、変化取得部により取得された日内体重変化値と日内目標減量値とを比較処理し、比較結果に基づき、所定期間内の全日数に対する日内体重変化値が日内目標減量値に達した日数の割合を指す目標達成率を取得するための達成率取得部と、達成率取得部により取得された目標達成率に基づき、その後に体重測定する際の目標となるべき新たな日内目標減量値を取得するための目標取得部と、を備える。
【発明の効果】
【０００７】
本発明によれば、日内目標減量値についての過去の目標達成率に基づき、その後に体重値を測定する際の目標を取得することができる。
【図面の簡単な説明】
【０００８】
【図１】本発明の実施の形態に係る体組成計の外観を示す斜視図である。
【図２】本発明の実施の形態に係る体組成計とサーバとの構成を示すブロック図である。
【図３】本発明の実施の形態に係る体重体組成計が有する体重管理のための機能構成を示す図である。
【図４】本発明の実施の形態に係るサーバが有する体重管理のための機能構成を示す図である。
【図５】本発明の実施の形態に係る記憶部に格納される各種データを説明する図である。
【図６】本発明の実施の形態に係るメインフローチャートである。
【図７】本発明の実施の形態に係る分析処理のフローチャートである。
【図８】本発明の実施の形態に係る他の分析処理のフローチャートである。
【図９】本発明の実施の形態に係るテーブルを例示する図である。
【図１０】本発明の実施の形態に係る表示例を示す図である。
【図１１】本発明の実施の形態に係る体重の減少量の変化を示すグラフである。
【図１２】本発明の実施の形態に係る体重の減少量の変化を示す他のグラフである。
【発明を実施するための形態】
【０００９】
以下、本発明の実施の形態について、図を参照して詳細に説明する。なお、以下に示す実施の形態においては同一または対応する部分に図中同一の符号を付し、その説明は繰返さない。
【００１０】
まず、用語を定義する。本実施の形態では体重測定に関する「朝時間」は、例えば午前４時〜正午（昼の１２時）の時間帯を指し、「晩時間」は、例えば午後７時〜午前２時の時間帯を指す。「朝体重」は、朝時間に測定された体重を指し、「晩体重」は晩時間に測定された体重を指す。説明を簡単にするために、就寝するために床に入る直前に体重（晩体重）が測定され、起床の直後に体重（朝体重）が測定されると想定する。
【００１１】
ここでは、「日内」とは、被測定者の起床時間から次の起床時間までの１日、または就寝時間から次の就寝時間までの１日を指す。「日内体重変化値」は、日内の体重の変化を指す。「日内目標減量値」とは、日内の目標とするべき体重の減少量を指す。
【００１２】
本実施の形態では、体重管理装置として、体重だけでなく生体インピーダンス（以下、単にインピーダンスと称する）を測定することにより体脂肪率などの体組成情報も取得することができる体重体組成計を例示するが、単に体重のみを測定する機能を有した装置であってよい。その場合にはインピーダンスは、別の計測装置から受理すると想定する。
【００１３】
図１には、体重体組成計３の外観が示されて、図２にはサーバ５を含む体重管理システム１の構成が示される。図３と図４には、体重体組成計３とサーバ５の機能構成が示される。
【００１４】
図２の体重管理システム１は、体重体組成計３と、体重体組成計３と通信するサーバ（サーバコンピュータ）５を備える。図２では、説明を簡単にするために、サーバ５には１台の体重体組成計３が接続されるとしているが、複数台の体重体組成計３が接続されてもよい。図２では、体重体組成計３とサーバ５は無線または有線により通信する。なお、体重体組成計３とサーバ５との間でのデータの授受は通信によらず、記憶媒体を介して授受するようにしてもよい。
【００１５】
図１を参照して、体重体組成計３は、被測定者が手で持つ第１の匿体である表示操作部１０、被測定者が乗る第２の筐体である体重測定部３０とを備える。
【００１６】
表示操作部１０は、図２に示すように通信部１１、記憶部１２、計時部１３、操作部１４、表示部１５、定電流回路部１６、電源部１７、ＣＰＵ（Central Processing Unit）１８１を有する制御部１８、二重積分ＡＤ（Analog/Digital）部１９、インピーダンス検知部２０、および電極部２１を含む。
【００１７】
通信部１１は、制御部１８に接続されており、該制御部１８からの制御信号に従ってサーバ５と通信する。なお、通信部１１は、サーバ５に限らず、歩数計などの他の生体情報取得装置と通信する、あるいはパーソナルコンピュータや携帯情報端末(ＰＤＡ（Personal Digital Assistants）、携帯電話機など)と通信するなど、適宜の装置と通信するとしてもよい。
【００１８】
記憶部１２は、不揮発性のメモリやハードディスクなどの情報を記憶できる装置を含む。記憶部１２は、接続された制御部１８から制御信号に従って情報の読出しと書き込みがされる。
【００１９】
計時部１３は、現在日時などの時刻を計時するタイマまたはカウンタから構成される装置であり、時刻を制御部１８へ出力する。
【００２０】
操作部１４は、押下などの操作がされる複数のボタンまたはスイッチなど(図１参照)を含む。被測定者は操作部１４を操作することにより、個人識別子、性別、年齢、身長、体重などの被測定者の個人情報および身体情報を入力することができる。入力されたこれら情報は、制御部１８に与えられる。
【００２１】
表示部１５は、液晶画面(図１参照)などの表示装置によって構成され、制御部１８から与えられる画像信号に従って文字や図形となどの画像を表示する。定電流回路部１６は、制御部１８の制御に基づいて、電源部１７から供給される高周波(交流)電流を電流印加用の電極部２１に一方向に流す。電源部１７は、制御部１８を含む各部に動作電力を供給する。
【００２２】
制御部１８は、ＣＰＵ１８１、および図示のないＲＯＭ（Read Only Memory）とＲＡＭ（Random Access Memory）を含むマイコン(マイクロコンピュータ)により構成されており、ＲＯＭ等に記憶されているプログラムおよびデータに従って各部の制御動作や演算動作を実行する。このプログラムおよびデータには、体重管理のためのプログラムおよびデータが含まれる。
【００２３】
二重積分ＡＤ部１９は、二重積分型のＡＤ変換部である。動作においては、インピーダンス検知部２０から出力されるアナログ信号（電圧信号）をデジタル信号に変換して制御部１８に出力する。
【００２４】
インピーダンス検知部２０は、体重測定部３０に設けられている電極部３６と表示操作部１０に設けられている電極部２１との電位差に基づいて、被測定者のインピーダンスを検出する。
【００２５】
電極部２１は、被測定者が手で持つ表示操作部１０のグリップ部分(図１参照)の表面に設けられる。電極部２１は、グリップ部分を握っている被測定者の手のひらへ電源部１７から供給される高周波(交流)電流を印加する。
【００２６】
体重測定部３０は、操作部３１、電池３２、荷重検知部３３、および電極部３６を含む。操作部３１は、電源のＯＮ／ＯＦＦを切り替えるために操作される入力スイッチとして機能し、操作部３１は操作されると操作に応じた入力信号を制御部１８に出力する。電池３２は、電源部１７を中心に各部へ電力を供給する。
【００２７】
荷重検知部３３は、複数のロードセル３４を内蔵する。筐体の上面カバーを兼ね備える上面カバー部３５(図１参照)の上に乗った被測定者の体重を測定する。測定された体重は、二重積分ＡＤ部１９に出力される。
【００２８】
電極部３６は、被測定者が乗る体重測定部３０の上面部分(図１参照)の表面に設けられており、被測定者の足裏から流れてくる電流を検出する電流測定用の電極である。電極部３６は、被測定者の左足指側、左足踵側、右足指側、右足踵側に接触する４つの電極を含む。
【００２９】
荷重検知部３３のロードセル３４のそれぞれは、体重測定部３０の上面部分にかかる荷重を測定することができるように、ここでは、電極部３６の各電極の下部に配置される。したがって、上面部分に被測定者が乗った場合に、インピーダンスと体重の両方を同時に測定することができる。
【００３０】
体重測定において、各ロードセル３４には、被測定者の体重による荷重がかかる。各ロードセル３４は、かけられる荷重に応じて変形する金属部材からなる歪体と、歪体に張られた歪ゲージとからなる。歪体が歪むと、歪ゲージが伸縮して歪ゲージの伸縮に応じて抵抗値が変化し、その抵抗変化は荷重信号出力として導出される。したがって、被測定者が上面部分に乗って、両足が各ロードセル３４にかかった場合、ロードセル３４にかけられる被測定者の体重により歪体が歪むと、上述の荷重信号出力の変化として体重が測定される。
【００３１】
なお、荷重を検出するための荷重センサとして、本実施の形態では、ロードセル３４を利用しているが、上面部へ加えられた力の量が検出できるものであれば、例えば、ばねやピエゾフィルムを利用したセンサや、圧縮素子、変位センサなどであってもよい。
【００３２】
サーバ５は、通信部５１、ＣＰＵ５２１、ＲＯＭ、ＲＡＭを有するコンピュータからなる制御部５２、操作部５３、表示部５４、および記憶部５５を含む。
【００３３】
通信部５１は、制御部５２の制御に従って体重体組成計３とデータを送受信する。制御部５２のＣＰＵ５２１は、ＲＯＭなどに記憶されているプログラムおよびデータに従って各部の動作を制御するとともに、各種の演算を実行する。
【００３４】
操作部５３は、キーボードやマウスなどを含む。オペレータにより操作されることにより入力された信号は、制御部５２に出力される。
【００３５】
表示部５４は、液晶ディスプレイやＣＲＴ（Cathode Ray Tube）ディスプレイなどに相当する。表示部５４は、制御部５２から与えられる制御信号に従って絵または文字などの画像を表示する。
【００３６】
記憶部５５は、ハードディスクなどの固定の記憶装置、またはフレキシブルディスク、ＣＤ−ＲＯＭ（Compact Disk Read Only Memory）、ＲＯＭ（Read Only Memory）、ＲＡＭ（Random Access Memory）およびメモリカードなどのＣＰＵ５２１のコンピュータが読取り可能な記録媒体に相当する。
【００３７】
記憶部５５は、体重体組成計３で測定したデータ(体組成情報、体重データ、測定日時データなど)、および被測定者の氏名（識別子）や住所といった個人情報、身体情報（性別、身長、年齢など）などの被測定者に関する種々のデータが記憶される。
【００３８】
図３を参照して、体重体組成計３の体重管理に係る機能構成について説明する。図３には、ＣＰＵ１８１が有する機能と、関連する周辺回路が記載される。
【００３９】
ＣＰＵ１８１は、操作部３１または１４を介したユーザの操作を受付け、受付けた操作に基づく操作信号を出力する操作受付部６０、体重測定値と、その測定日時とを含む体重データを取得するための体重取得部６２、取得された体重データを記憶部１２の所定領域に格納するための体重格納部６４、変化取得部６６、達成率取得部６８、増減量取得部７１を含む目標取得部７０、インピーダンス取得部７２、インピーダンス格納部７４、被測定者の生活の規則性を表す情報を取得するための規則性取得部７６、表示部１５に情報を表示するための出力処理部７８、および通信部１１を介してサーバ５を含む外部装置と通信するための通信処理部８０を含む。
【００４０】
変化取得部６６は、被測定者の毎日の体重測定値に基づいた日内体重変化値を取得する。達成率取得部６８は、変化取得部６６により取得された日内体重変化値と日内目標減量値とを比較し、その比較結果に基づき目標達成率を取得する。ここで、目標達成率とは、記憶部１２に格納されている過去の所定期間内の全日数に対する日内体重変化値が日内目標減量値に達した日数の割合を指す。
【００４１】
目標取得部７０は、達成率取得部６８により取得された目標達成率に基づき、その後に体重値を測定する際の目標となるべき新たな日内目標減量値を取得する。より具体的には、増減量取得部７１が目標達成率に基づき、日内目標減量値の増減量を取得すると、比較に用いた日内目標減量値と、取得された増減量とを用いて、その後に体重値を測定する際の目標となるべき新たな日内目標減量値を算出する。
【００４２】
インピーダンス取得部７２は、被測定者のインピーダンス値を含むインピーダンスデータを取得し、インピーダンス格納部７４は、インピーダンス取得部７２が取得したインピーダンスデータを記憶部１２に格納する。ここでは、被測定者の生体インピーダンスは、毎日、体重測定のための晩時間など一定時間に測定されると想定する。
【００４３】
これら各部は、ＣＰＵ１８１によって実行されるプログラムにより実現される。このプログラムは、制御部１８の図示のないＲＯＭに予め格納されている。ＣＰＵ１８１は、ＲＯＭからプログラムを読出し、読み出したプログラムの命令を実行することにより、各部の機能が実現される。プログラムは、通信部１１によりサーバ５などの外部装置からダウンロードされて記憶部１２に格納された後に、ＣＰＵ１８１により記憶部１２から読出されて実行されるとしてもよい。
【００４４】
本実施の形態による体重管理機能は、図４の機能を有するサーバ５のＣＰＵ５２１により実現されてもよい。図４のサーバ５の詳細は後述する。
【００４５】
図５を参照して、記憶部１２に格納される各種データを説明する。体重体組成計３が複数の被測定者により共用される場合には、図５のデータは被測定者毎に格納される。ここでは、説明を簡単にするために体重体組成計３を利用する被測定者は１人であると想定する。ここでは、毎日１回、晩体重が測定されると想定する。
【００４６】
体重測定部３０により被測定者の体重が測定がされる毎に、記憶部１２には図５の（Ａ）に示す測定データ４０が格納される。したがって、毎日、１件の測定データ４０が格納される。記憶部１２は、複数週間分、または複数月分の測定データ４０を記憶可能な容量を有する。
【００４７】
測定データ４０は、実際に測定された晩体重値を指すデータ４０１、（前日の晩体重−本日の晩体重）に従う算出値である減少量データ４０２、計時部１３の計時データに基づいた測定の日時を指すデータ４０３、および測定されたインピーダンス値を指すデータ４０４を関連付けて含む。データ４０１と４０３は前述の体重データを指し、データ４０４は前述のインピーダンスデータを指す。
【００４８】
減少量データ４０２は、変化取得部６６により取得されて記憶部１２に格納される。変化取得部６６は、体重測定がされる毎に、記憶部１２の前回（すなわち前日）の体重測定により取得されたデータ４０１の晩体重値から今回の体重測定により取得されたデータ４０１の晩体重値を減算することにより、減算結果の値を減少量データ４０２として取得する。
【００４９】
データ４０４は、インピーダンス検知部２０により測定されたインピーダンス値を指すとしているが、データ４０４の取得方法はこれに限定されない。例えば、インピーダンスは別の装置で測定されて、その値を通信部１１を介し通信処理部８０が受信し、記憶部１２に格納されるとしてもよい。または、被測定者が操作部１４（または操作部３１）から入力した値を記憶部１２にデータ４０４として格納するとしてもよい。
【００５０】
図５の（Ｂ）に示す日内目標減量値データ４１は、被測定者の減量の目標を達成するための日内の体重減量値を指す。本実施の形態では、毎日、晩体重が測定されることから、日内目標減量値データ４１は、（前日の晩体重−本日の晩体重）に従う減少量データ４０２の目標値を指す。日内目標減量値データ４１は、目標取得部７０により可変に変更される。
【００５１】
図５の（Ｃ）には目標設定日データ４２が示される。目標設定日データ４２は、被測定者が体重体組成計３を用いてダイエットなどの体重管理を開始した日付けを指す。つまり、被測定者により体重管理のための図５の（Ｂ）〜（Ｇ）のデータが設定（入力）された日付けを指す。
【００５２】
図５の（Ｄ）に示す長期目標増減量データ４３は、被測定者が操作部１４を操作することにより入力した体重増減量の目標値を指す。本実施の形態では、減量のための体重管理であるので、マイナス値（例えば、−４ｋｇ）が入力される。
【００５３】
図５の（Ｅ）に示す目標達成期間データ４４は、被測定者が操作部１４を操作することにより設定した目標達成期間を記憶する。目標達成期間は、長期目標増減量データ４３が指す減量に要する期間の目標値（例えば、３ヶ月）を指す。
【００５４】
ＣＰＵ１８１は、長期目標増減量データ４３の値を目標達成期間データ４４の日数で除算した１日のノルマとなる日内増減量が所定範囲内に収まるか否かの適正判定を実行する。そして、所定範囲外と判定した場合、出力処理部７８を介して表示部１５にエラー表示する。そして、所定範囲内と判定されるまで被測定者に対して目標達成期間の再入力を促す。これにより、体に負担のかかる過度の減量となるのを抑制することができる。
【００５５】
適正と判定された日内増減量は、日内目標減量値データ４１として記憶部１２に格納される。ここでは、日内目標減量値データ４１には初期値として“４０ｇ”が設定される。
【００５６】
体重の変動に関して、発明者らの実験によれば、健康な成人であれば、１ヶ月間の減量（または増量）は、現在の体重の所定範囲内の増減率、すなわち２％〜１０％の量に留めることが健康を害さない量であるとの知見を得ている。したがって、本実施の形態では、１ヶ月間の減量が、現在の体重の２％〜１０％の量となるように決定される。
【００５７】
図５の（Ｆ）に示す初期体重データ４５は、ダイエットなどの体重管理を開始した初期日時の測定体重、すなわち目標設定日データ４２が指す日付けに測定された体重を指す。
【００５８】
これにより、初期体重データ４５に長期目標増減量データ４３を加算した体重が、ダイエット完了など体重管理完了の目標日付（すなわち、目標設定日データ４２に目標達成期間データ４４を加算した日付）の目標体重を指すことになる。
【００５９】
図５の（Ｇ）に示す分析処理実行日データ４６は、後述の分析処理（図６のステップＳ１１参照）を実施する毎に、ＣＰＵ１８１は、実施した日付を計時部１３からの時間データに基づき取得し、記憶部１２に分析処理実行日データ４６として格納する。したがって、分析処理実行日データ４６は、分析処理が実施された直近の日付を指す。なお、分析処理実行日データ４６には初期値として空データがセットされると想定する。
【００６０】
図６は、体重体組成計３の制御部１８のＣＰＵ１８１が実行する動作を示すメインフローチャートであり、図７と図８は日内目標減量値データ４１の更新をするための分析処理フローチャートである。これらフローチャートは、予めプログラムとして制御部１８内のメモリまたは記憶部１２に格納されており、ＣＰＵ１８１がプログラムを読出し、その命令を実行することにより処理が実現される。
【００６１】
なお、記憶部１２には、図５に示した日内目標減量値データ４１〜分析処理実行日データ４６が設定されていると想定する。
【００６２】
被測定者は、毎日、晩時間の１回だけ体重を測定し、記憶部１２には、目標設定日データ４２が指す日付けから十分な件数分の、例えば過去２１日（３週間）分の測定データ４０が既に格納されていると想定する。したがって、図６のフローチャートに従って２２日目の晩体重が測定されると想定する。
【００６３】
図６を参照して、ＣＰＵ１８１は、被測定者による操作部１４の操作による電源ＯＮの指示を入力して起動し（ステップＳ１）、上面カバー部３５（図１参照）に乗った被測定者の体重を荷重検知部３３により測定する（ステップＳ５）。
【００６４】
このとき、ＣＰＵ１８１は、体重測定部３０の電極部３６と表示操作部１０の電極部２１を通じて、インピーダンス検知部２０（図２参照）によって検知されるインピーダンスに基づき体組成情報を算出することができる。また、体重取得部６２およびインピーダンス取得部７２は、二重積分ＡＤ部１９から測定された体重値および検知されたインピーダンス値を入力する。入力した、これら値は、体重格納部６４およびインピーダンス格納部７４により記憶部１２にデータ４０１および４０４として関連付けて格納される。また、変化取得部６６が取得する減少量データ４０２および計時部１３からの時間データに基づく測定日時のデータ４０３も、これらデータに関連付けて格納される。これにより、記憶部１２には今回の体重測定による測定データ４０が格納される（ステップＳ８）。
【００６５】
ＣＰＵ１８１は、後述の分析処理（ステップＳ１１）を実行するか否かを判定するために、計時部１３の時間データと、目標設定日データ４２が示す日付および分析処理実行日データ４６が示す日付とを比較し、比較結果に基づき、時間データが指す日付が、目標設定日データ４２または分析処理実行日データ４６が示す日付から所定期間（例えば１１日）経過後の日付を指すか否かを判定する（ステップＳ９）。
【００６６】
所定期間経過後の日付を指すと判定すると（ステップＳ９でＹＥＳ）、ＣＰＵ１８１により分析処理が実行され（ステップＳ１１）、翌日の晩体重の値（以下、目標値という）が算出されて（ステップＳ１２）、目標値を含む情報が表示部１５に表示される（ステップＳ１３）。ＣＰＵ１８１は、その後、電源をＯＦＦし（ステップＳ１５）、処理を終了する。
【００６７】
一方、所定期間経過後の日付を指さないと判定すると（ステップＳ９でＮＯ）、ステップＳ１１の処理はスキップして、ステップＳ１２、Ｓ１３およびＳ１５の処理を実行後に、一連の処理は終了する。
【００６８】
（分析処理）
次に、図７を参照して、分析処理（図６のステップＳ１１参照）を説明する。分析処理では、目標値を算出するための日内目標減量値データ４１が取得される。
【００６９】
まず、達成率取得部６８は、記憶部１２に格納されている測定データ４０を用いて目標達成率を算出する（ステップＳ２１）。
【００７０】
具体的には、計時部１３からの時間データと測定時間のデータ４０３に基づき、記憶部１２の測定データ４０のうちから、直近の所定期間の測定データ４０を選択（抽出）し、選択した測定データ４０から減少量データ４０２を読出す。そして、読出した各減少量データ４０２の値と、日内目標減量値データ４１が指す値とを比較し、比較結果に基づき、体重の減少量が、日内目標減量値データ４１が指す値以上を指す場合には目標“達成”と判定し、値未満を指す場合には目標“未達成”と判定する。判定結果は、記憶部１２の所定領域にテーブル１２１として格納される。これにより、直近の所定期間の各日について、減量目標の達成/未達成の判定結果が取得される。
【００７１】
図９の（Ａ）には、テーブル１２１の一例が示される。テーブル１２１には、日内目標減量値データ４１が例えば“４０ｇ”を指すとした場合において、直近の所定期間（１１日分）のそれぞれについて、減少量データ４０２と、減量目標の達成/未達成の判定結果１２２が対応付けて格納される。
【００７２】
達成率取得部６８は、テーブル１２１の判定結果１２２に基づき目標達成率を算出する。つまり、直近の所定期間内の全日数（１１日分）に対する“達成”と判定された日数の割合を指す目標達成率を算出する。図９の（Ａ）によれば、目標達成率は、２０％と算出される。
【００７３】
目標達成率が取得されると、ＣＰＵ１８１は、目標達成率が所定閾値（例えば、５０％）未満を指すか否かを判定する（ステップＳ２３）。未満であると判定すると（ステップＳ２３でＹＥＳ）、記憶部１２の日内目標減量値データ４１を更新するために目標取得部７０が起動されて、記憶部１２の日内目標減量値データ４１が更新される（ステップＳ２５）。その後、図６の元の処理に戻る。なお、閾値は５０％に限定されるものではない。
【００７４】
日内目標減量値データ４１の更新では、目標取得部７０は、記憶部１２の日内目標減量値データ４１の値を目標達成率が５０％以上となるような新たな値に更新（書換え）する。具体的には、増減量取得部７１は、取得された目標達成率と所定閾値（５０％）との差分に基づき、所定演算式を用いて日内目標減量値データ４１を更新するための増減量を算出する。この演算式は、当該差分が大きいほど日内目標減量値データ４１の値を小さくするような値を導出するような式であって、過度の減量とならないような日内目標減量値データ４１を算出するための式である。したがって、ここでは、増減量取得部７１は減じるための値（マイナス値）を取得する。
【００７５】
目標取得部７０は、算出された増減量と、現在の日内目標減量値データ４１の値とを加算することにより、新たな日内目標減量値データ４１の値を算出し、算出した新たな値を用いて、記憶部１２の日内目標減量値データ４１を更新する。
【００７６】
一方、目標達成率が所定閾値（５０％）以上であると判定すると（ステップＳ２３でＮＯ）、記憶部１２の日内目標減量値データ４１は更新はされずに、すなわちステップＳ２５の処理はスキップして、元の図６の処理に戻る。
【００７７】
図６に戻り、ＣＰＵ１８１は、ステップＳ５での測定体重から、記憶部１２の日内目標減量値データ４１の値を減算することにより、翌日の晩体重を測定する際の目標値を算出する（ステップＳ１２）。算出された目標値は、測定データ４０に他のデータと関連付けて格納される。
【００７８】
ＣＰＵ１８１は、算出した目標値と、記憶部１２から読出した日内目標減量値データ４１を出力処理部５４８に与える。出力処理部５４８は、目標値と、日内目標減量値データ４１の値を表示部１５に表示する（ステップＳ１３）。その後、電源ＯＦＦされる（ステップＳ１５）。これにより、一連の処理は終了する。
【００７９】
ここで、分析処理（ステップＳ１１）において、目標取得部７０が記憶部１２の日内目標減量値データ４１の値を“３０ｇ”に書換えたと想定した場合の、判定結果１２２の変化について説明する。“３０ｇ”に書換えた場合には、テーブル１２１の減少量データ４０２の値が図９の（Ａ）と同じ値であったとしても、図９の（Ｂ）のような判定結果１２２を取得することができて、目標達成率“６０％”を取得できることになる。したがって、更新後の新たな日内目標減量値データ４１の値によれば、その後も更新前と同じような減量ペースを継続した場合であっても高い目標達成率を得ることが可能となって、被測定者は減量のモチベーションを維持し易くなる。
【００８０】
なお、図９では、体重が増加した日の測定データ４０は、目標達成率の算出対象から除外している。
【００８１】
ステップＳ１３の表示に一例が図１０に示される。図１０を参照して、矢印１５１は目標達成率と所定閾値（５０％）との比較結果を示す。つまり、目標達成率が閾値未満である場合には矢印１５１を下向き矢印で表示する。これにより、被測定者は、減量が順調に進行していないことを確認できる。一方、目標達成率が閾値以上である場合には、矢印１５１を上向き矢印で表示する。これにより、被測定者は、順調に減量が進んでいることを確認できて、被測定者は減量のモチベーションを維持し易くなる。
【００８２】
なお、目標達成率を示すための情報は矢印１５１に限定されない。たとえば、図１０の画面に、算出された目標達成率を表示するようにしてもよい。
【００８３】
また、図１０の画面には、ステップＳ５で測定した体重値を表示するようにしてもよく、また、減量のモチベーションを維持し易くするために、更新前後の日内目標減量値データ４１の値を表示してもよい。
【００８４】
なお、図７の分析処理では、目標達成率が閾値未満である場合にのみ日内目標減量値データ４１の値を小さくなるように更新するが、目標達成率が閾値以上である場合にも更新するようにしてよく、例えば、日内目標減量値データ４１の値が大きくなるように更新する。
【００８５】
図１１の体重減少量の変化グラフを参照して、図７の分析処理による目標達成率の更新について説明する。図１１のグラフの縦軸は体重減少量を指し、横軸は時間を指す。グラフの部分３００に相当する期間は、日内目標減量値データ４１は“３０ｇ”であり、目標達成率が低い期間を指す。したがって、図７の分析処理に従えば、日内目標減量値データ４１の値は、例えば“２０ｇ”に更新される。その後のグラフの部分３０１に相当する期間では減量が順調に進み目標達成率は高い期間であり、日内目標減量値データ４１（“２０ｇ”）は、例えば“４０ｇ”に更新される。
【００８６】
図７の分析処理によれば、所定期間毎に、現在の日内目標減量値データ４１を用いて目標達成率を算出し、算出された目標達成率が低い場合には、その後に体重値を測定する際の目標となるべき新たな日内目標減量値データ４１を取得するから、被測定者が減量のモチベーションを維持し易い、すなわち目標達成可能な日内目標減量値データ４１を取得することが可能となる。したがって、被測定者の体重変動のリズムから、日内目標減量値データ４１をそのリズムに合わせて更新することができる。
【００８７】
（分析処理の他の例）
日内目標減量値データ４１の更新するための分析処理は、図７に示した目標達成率によるものに限定されず、被測定者の生活の規則性を表す情報により更新することもできる。
【００８８】
被測定者の生活の規則性を表す情報は、規則性取得部７６により取得される。具体的には、規則性取得部７６は、記憶部１２の測定データ４０から、計時部１３の時間データに基づき、直近の所定期間（例えば、過去３週間）の測定データ４０を選択（抽出）する。選択した過去３週間分の測定データ４０のデータ４０３が指す時間のばらつきＳＤ１と、直近７日間（例えば、過去７日間）の測定データ４０のデータ４０３が指す時間のばらつきＳＤ２とを算出し、（ＳＤ１−ＳＤ２）の差分から生活の規則性を導出する。ここでは、ばらつきＳＤ１とＳＤ２は標準偏差により算出すると想定する。
【００８９】
上述の差分に関して、直近の所定期間において体重測定時間がほぼ一定である場合には差分は十分に小さくなるが、体重測定時間が大きくばらつく場合には十分に小さくならない。したがって、差分に基づけば、生活が規則的であるか否かを判定することができる。規則性取得部７６は、差分が大きいか否かを、差分と閾値（例えば、１時間）とを比較することにより判定する。
【００９０】
図８を参照して、規則性取得部７６を用いた分析処理（図６のステップＳ１１参照）の他の例を説明する。
【００９１】
先ず、規則性取得部７６は、記憶部１２の測定データ４０のうちから、計時部１３からの時間データに基づき、データ４０３が指す日付が、過去３週間内に相当する測定データ４０を選択（抽出）する。そして、選択した測定データ４０のデータ４０３が示す時間に基づき、上述したばらつきＳＤ１とＳＤ２とを算出する（ステップＳ３１）。
【００９２】
規則性取得部７６は、ばらつきＳＤ１とＳＤ２の差分を算出し、その差分が閾値（例えば、１時間）より大きい否かを判定する（ステップＳ３３）。閾値以下であると判定した場合には（ステップＳ３３でＮＯ）、日内目標減量値データ４１を更新せずに処理は終了し、元の図６の処理に戻る。つまり、差分が閾値以下であり十分に小さい場合には、生活は規則的であるから減量が順調に進行し易いケースである。この場合には、本実施の形態では、減量ペースを維持するために記憶部１２の日内目標減量値データ４１の更新処理（ステップＳ３７とＳ３９の処理）は略される。
【００９３】
一方、差分は閾値よりも大きいと判定した場合には（ステップＳ３３でＹＥＳ）、日内目標減量値データ４１を更新する（ステップＳ３５、Ｓ３７、Ｓ３９）。具体的には、規則性取得部７６は、更新の方法を決定するために（ＳＤ１＞ＳＤ２）の条件式が成立するか否かを判定し（ステップＳ３５）、判定結果を目標取得部７０に出力する。
【００９４】
判定結果が当該条件式は成立することを指示する場合には（ステップＳ３５でＹＥＳ）、目標取得部７０は記憶部１２の日内目標減量値データ４１を所定値Ｘ（例えば、５ｇ）を加算することにより更新する（ステップＳ３７）。これにより記憶部１２の日内目標減量値データ４１は増加するように書換えられる。また、判定結果が当該条件式は成立しないことを指示する場合には（ステップＳ３５でＮＯ）、目標取得部７０は記憶部１２の日内目標減量値データ４１を所定値Ｘを減算することにより更新する（ステップＳ３９）。これにより記憶部１２の日内目標減量値データ４１は減少するように書換えられる。
【００９５】
このように、ばらつきＳＤ１とＳＤ２に基づく被測定者の生活の規則性から減量し易い時期か難しい時期かを推測し、推測に基づき日内目標減量値データ４１を更新し、被測定者の減量のモチベーションを維持することが容易となる。
【００９６】
なお、ここでは、所定値Ｘは一律の値としたが、可変としてもよい。すなわち、増減量取得部７１は、ばらつきＳＤ１とＳＤ２の差分に基づき、日内目標減量値データ４１について加算または減算する値を可変に変更するようにしてもよい。
【００９７】
（生活の規則性を取得するための他の方法）
被測定者の生活の規則性は上述のようにデータ４０３の体重の測定時間から取得したが、これに代替して、インピーダンスのデータ４０４から取得することもできる。
【００９８】
生体インピーダンスは、体内水分量、脂肪量など体組成の変化により影響を受けることが知られている。規則的な生活であれば体外から体内に入る水分量はほぼ一定と見なせ、水分量以外の体組成は短期的に変化するものではない。したがって、規則的な食生活であれば、毎日、同じ時間に測定した生体インピーダンス値は大きくは変動しないが、食事の時間帯、または食事内容（水分量など）が変動し不規則な食生活になると、同じ時間に生体インピーダンスを測定するとしても、インピーダンス値は大きく変動する。
【００９９】
そこで、本実施の形態では、測定データ４０のインピーダンスのデータ４０４を用いて、図８のように、ばらつきを算出し、算出したばらつきに基づき、生活の規則性を取得し、規則性から日内目標減量値データ４１を更新するようにしてもよい。
【０１００】
また、生活全般が不規則になると、食生活の乱れと、データ４０３（すなわち、晩体重を測定する晩時間）も変動することから、目標取得部７０は、新たな日内目標減量値データ４１を、測定時間のばらつきを用いて算出した新たな日内目標減量値データ４１と、インピーダンス値のばらつき用いて算出した新たな日内目標減量値データ４１との平均値としてもよい。
【０１０１】
（日内目標減量値を変更する他の例）
被測定者の生活パターンにより減少量データ４０２は変化することが知られている。例えば、平日は仕事していて、土日は休みなどの場合には、平日はデスクワークで減量はし難いが、休日は活動的になり減量し易いという背景がある。したがって、このような決まった生活パターンが周期的に繰返される場合には、減少量データ４０２が指す日内体重変化値も周期的に変化する。そこで、被測定者の日内体重変化値の周期的な変化に基づき、日内目標減量値データ４１を可変に変更するようにしてもよい。
【０１０２】
具体的には、規則性取得部７６は、記憶部１２の過去の測定データ４０に基づき、減少量データ４０２の時系列の変化パターンを抽出する。抽出した変化パターンから、減少量データ４０２の値が比較的に大きい時期と、小さい時期とを判別し、判別した時期により、目標値を算出するために用いる日内目標減量値データ４１の値を変更する。
【０１０３】
図１２は、本実施の形態による減少量データ４０２の値の時間経過に伴う変化を示すグラフを表す。図１２の縦軸は減少量を指し、横軸は時間を指す。規則性取得部７６は、記憶部１２の測定データ４０のデータ４０１と４０３から図１２の時系列の変化グラフを取得し、取得したグラフから日内体重変化値の周期的な変化の規則性を抽出する。規則性取得部７６は、図１２のグラフから、規則性として他の曜日に比べて体重減少量が多い曜日（例えば、土日）があることを取得する。
【０１０４】
目標取得部７０は、規則性取得部７６が取得した規則性と図１２のグラフのデータから、体重減少量が多い曜日の減少量データ４０２の平均値（例えば、５０ｇ）と、それ以外の曜日の減少量データ４０２の平均値（例えば、２０ｇ）とを算出し、日内目標減量値データ４１として取得する。
【０１０５】
したがって、ＣＰＵ１８１は、計時部１３の時間データに基づき、算出するべき目標の晩体重は体重減少量が多い曜日の晩体重であると判定すると、目標の晩体重＝前の日の晩体重−５０ｇと算出し、それ以外の曜日の晩体重であると判定すると、目標の晩体重＝前の日の晩体重−２０ｇと算出する。
【０１０６】
これにより、被測定者について、決まった生活パターンが周期的に繰返される場合には、生活パターンに従って日内目標減量値を可変に変更することができ、被測定者は減量のモチベーションを維持し易くなる。
【０１０７】
また、このように生活パターンに従って可変に変更される日内目標減量値データ４１の値と、図７と図８に示した規則性に基づく更新後の日内目標減量値データ４１の値との平均をとって、目標値を算出するための日内目標減量値を決定するようにしてもよい。
【０１０８】
（変形例）
上述の実施の形態では、毎日、１回測定する体重は晩体重として、翌日の晩体重を目標値として取得しているが、代替して朝体重を測定するとしてもよい。つまり、朝体重を測定し、本実施の形態と同様の方法で、翌日の朝体重を目標値として取得するとしてもよい。朝体重測定であっても、図１０のように測定結果を表示することができる。
【０１０９】
また、毎日、朝体重と晩体重の２回の体重測定をし、朝体重の測定時には翌日の朝体重を目標値として取得して表示し、晩体重測定時には翌日の晩体重を目標値として取得して表示するとしてもよい。
【０１１０】
（他の実施の形態）
上述の実施形態では、体重体組成計３により体重管理のための全ての処理を行ったが、体重体組成計３に代替してサーバ５で実施する構成であってもよい。以下に、サーバ５の機能を説明する。
【０１１１】
サーバ５で実施する場合、体重体組成計３は、ステップＳ８での測定データ４０の記憶処理とともにサーバ５へ測定データ４０を送信する。そして、サーバ５の制御部５２のＣＰＵ５２１は、体重体組成計３から測定データ４０を取得し、上述の各フローチャートに従う処理を実行する。データは記憶部５５に格納されて、表示部１５に代替して表示部５４により情報が表示される。
【０１１２】
サーバ５は、表示部５４の画面に表示する情報を体重体組成計３に送信するようにしてもよい。体重体組成計３は、サーバ５から情報を受信して、表示部１５に受信情報を表示する。また、サーバ５は、表示部５４の画面に表示する情報を、被測定者のＰＤＡ（personal Digital Assistant）などの携帯型端末に送信するようにしてもよい。被測定者は、外出先であっても携帯型端末のディスプレイを介して情報を確認することができる。
【０１１３】
図４を参照して、サーバ５の体重管理に係る機能構成について説明する。図４には、ＣＰＵ５２１が有する機能と、関連する周辺回路が記載される。
【０１１４】
ＣＰＵ５２１は、操作部５３を介したユーザの操作を受付け、受付けた操作に基づく操作信号を出力する操作受付部５３０、体重体組成計３から送信される測定データ４０を取得する体重取得部５３２、取得された測定データ４０を記憶部５５の所定領域に格納するための体重格納部５３４、変化取得部５３６、達成率取得部５３８、増減量取得部５４１を有する目標取得部５４０、インピーダンス取得部５４２、インピーダンス格納部５４４、規則性取得部５４６、表示部５４に情報を表示するための出力処理部５４８、および通信部５１を介して体重体組成計３を含む外部装置と通信するための通信処理部５５０を含む。これら各部は、図３の対応する各部と同様の機能を有する。
【０１１５】
図４の各部は、ＣＰＵ５２１によって実行されるプログラムにより実現される。このプログラムは、制御部５２の図示のないＲＯＭに予め格納されている。ＣＰＵ５２１は、ＲＯＭからプログラムを読出し、読み出したプログラムの命令を実行することにより、各部の機能が実現される。プログラムは、通信部５１により図示のないサーバなどの外部装置からダウンロードされて記憶部５５に格納された後に、ＣＰＵ５２１により記憶部５５から読出されて実行されるとしてもよい。
【０１１６】
また、上述の実施の形態では、インピーダンス検知部２０で検出する被測定者のインピーダンスと、記憶部１２に記憶された被測定者の身長、年齢、性別と、荷重検知部３３により検出した体重をもとに、体脂肪率、ＢＭＩ（Body Mass Index）、内臓脂肪レベル、骨格筋率、および、体年齢などを算出して、体重とともに出力するようにしてよい。
【０１１７】
さらに、本実施の形態における体重体組成計３が行なう上述した体重管理の方法は、プログラムとして提供することもできる。このようなプログラムは、制御部１８または制御部５２のコンピュータに付属するフレキシブルディスク、ＣＤ−ＲＯＭ（compact disk read only memory）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１１８】
提供されるプログラム製品は、ハードディスクなどのプログラム格納部にインストールされてＣＰＵ１８１（または５２１）により読出されて実行される。なお、プログラム製品は、プログラム自体と、プログラムが記録された記録媒体とを含む。
【０１１９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１２０】
１  体重管理システム、３  体重体組成計、５  サーバ、１８，５２  制御部、２０  インピーダンス検知部、３０  体重測定部、４０  測定データ、４１  日内目標減量値データ、４６  分析処理実行日データ、６０，５３０  操作受付部、６２，５３２  体重取得部、６４，５３４  体重格納部、６６，５３６  変化取得部、６８，５３８  達成率取得部、７０，５４０  目標取得部、７１，５４１  増減量取得部、７２，５４２  インピーダンス取得部、７４，５４４  インピーダンス格納部、７６，５４６  規則性取得部、７８，５４８  出力処理部、８０，５５０  通信処理部、１２１  テーブル、１２２  判定結果、１５１  矢印、４０１，４０３，４０４  データ、４０２  減少量データ、ＳＤ１，ＳＤ２  ばらつき。
【図１】
0005853534.tif 000002
【図２】
0005853534.tif 000003
【図３】
0005853534.tif 000004
【図４】
0005853534.tif 000005
【図５】
0005853534.tif 000006
【図６】
0005853534.tif 000007
【図７】
0005853534.tif 000008
【図８】
0005853534.tif 000009
【図９】
0005853534.tif 000010
【図１０】
0005853534.tif 000011
【図１１】
0005853534.tif 000012
【図１２】
0005853534.tif 000013